(57)【要約】【課題】  光源が出射した光をリフレクタが受け、リフレクタが捉える光を広範囲に反射させて反射光を有効に活用し少ない光源数でも照度を上げることが可能な、光源反射ユニットおよび光源反射ユニット群から構成された光源反射体を提供する。【解決手段】  本体部がシート部材により矩形の皿状に形成されたリフレクタ１０Ａと、このリフレクタ１０Ａの底面の隅部に取付けられたスタッド４５Ａを含んで構成され、スタッド４５Ａにより取付面板６０と前記リフレクタ１０Ａは取外し可能に構成される。【選択図】図１
2008216948.tif 000002
【特許請求の範囲】
【請求項１】
底面に光源を保持する光源保持部と底部中央に光源を構成するレンズを臨ませるくり抜き部が形成されるとともに、内表面が光源より出射される光を反射する反射面として形成された光源反射ユニット。
【請求項２】
底面に垂下して形成した、光源を保持する光源保持部と、底部中央に形成した、光源を構成するレンズを臨ませるくり抜き部を備え、内表面が光源より出射される光を反射する反射面として形成されたリフレクタと、
該リフレクタの底面に配設したスタッドを備え、
該スタッドを取付面板にスナップフィットして取付面板と前記リフレクタが取外し可能に構成される光源反射ユニット。
【請求項３】
光源より出射される光を反射するリフレクタと、
該リフレクタを着脱自在に保持するキャッチケースから構成され、
前記リフレクタは、底部中央に光源を構成するレンズを臨ませるくり抜き部が形成されるとともに内表面が反射面として形成され、
前記キャッチケースは、底部に光源を収容する光源保持部と光源の電線を案内する電線案内部を備え、
前記キャッチケース上に前記リフレクタを載置して重合わせた際に、前記リフレクタの底面側に前記光源保持部および電線案内部が形成される光源反射ユニット。
【請求項４】
前記リフレクタは、シート部材により形成され、外周縁部に前記キャッチケースの係合受部に係合する係合部が等間隔に複数個形成され、
前記キャッチケースは、外側周部の中央に前記電線案内部により案内された光源の電線を導出する電線導出部が開口して形成され、外側周上縁部に前記リフレクタの係合部に係合する係合受部が前記係合部に対応させて形成され、
前記リフレクタを前記キャッチケース上に載置して重合わせ前記係合部が前記係合受部に着脱自在に係合する請求項３記載の光源反射ユニット。
【請求項５】
前記キャッチケースのコーナーには段部が形成され、前記リフレクタを前記キャッチケース上に載置して重合わせた状態で前記リフレクタの底面側に前記光源保持部および電線案内部が維持されるスペースが形成され、前記段部の中央に貫通孔が穿設され、この貫通孔に前記キャッチケースを取付面板に固定するスタッドの一端部が挿通され、前記スタッドの他端部が取付面板にスナップフィットして取付面板と前記キャッチケースが取外し可能に構成される請求項３，４いずれか一項記載の光源反射ユニット。
【請求項６】
底面に垂下して形成した、光源を保持する光源保持部と、底部中央に形成した、光源を構成するレンズを臨ませるくり抜き部を備え、内表面が光源より出射される光を反射する反射面として形成されたリフレクタと、該リフレクタの底面に配設したスタッドを備え、該スタッドを取付面板にスナップフィットして取付面板と前記リフレクタが取外し可能に構成される光源反射ユニットを複数個連設して形成される光源反射ユニット群から構成される光源反射体。
【請求項７】
次のａ，ｂの構成要素を備えて成る光源反射ユニットを複数個連設して形成される光源反射ユニット群から構成される光源反射体。
ａ．シート部材により形成され、底部中央に光源を構成するレンズを臨ませるくり抜き部が形成されるとともに内表面が反射面として形成され、外周縁部にキャッチケースの係合受部に係合する係合部が等間隔に複数個形成された、光源より出射される光を反射するリフレクタ。
ｂ．底部に光源を収容する光源保持部と光源の電線を案内する電線案内部を備え、外側周部の中央に前記電線案内部により案内された光源の電線を導出する電線導出部が開口して形成され、外側周上縁部に前記リフレクタの係合部に係合する係合受部が前記係合部に対応させて形成され、コーナーには段部が形成され、前記リフレクタを載置して重合わせた状態で前記リフレクタの底面側に前記光源保持部および電線案内部が維持されるスペースが形成され、前記段部の中央には貫通孔が穿設され、この貫通孔に取付面板に固定するスタッドの一端部が挿通され、前記スタッドの他端部が取付面板にスナップフィットして取付面板と取外し可能に構成された、前記リフレクタを着脱自在に保持するキャッチケース。
【発明の詳細な説明】
【技術分野】
【０００１】  本発明は、光源反射ユニットおよび光源反射ユニット群から構成された光源反射体に関するものである。
【背景技術】
【０００２】  基板にＬＥＤ（Ｌｉｇｈｔ  Ｅｍｉｔｔｉｎｇ  Ｄｉｏｄｅ：発光ダイオード）チップを搭載し、ＬＥＤ上にシリコン樹脂製の透明なレンズを載置してレンズ効果で均一発光が得られるようにしたレンズ付ＬＥＤモジュールが提案され（非特許文献１）、このレンズ付ＬＥＤモジュールを照明用モジュールとして光源に用いたサイン（看板）が案出されている。【０００３】
【非特許文献１】  株式会社光波、製品名：シャイニングアイ（Ｌ）、インターネット＜ＵＲＬ：ｈｔｔｐ：／／ｗｗｗ．ｋｏｈａ．ｃｏ．ｊｐ＞
【０００４】  しかしながら、単にこのレンズ付ＬＥＤモジュールのみをサインの光源として用いる場合、（１）サイン面板上の照度を最適照度にするためには、レンズ付ＬＥＤモジュールとサイン面板との距離を最適距離に設定する必要がありレンズ付ＬＥＤモジュールとサイン面板との距離の選定に自由度がない、（２）出射する光が反射して届く範囲は限られるため反射光のすべてを光源として活用できない、という問題点があった。
【発明の開示】
【発明が解決しようとする課題】
【０００５】  本発明は、光源が出射する光をリフレクタを介して反射させることにより光源が出射する光を広範囲に反射させることが可能となり、複数個のリフレクタを連設して行列状に配置することによりリフレクタ前方に位置するサイン面板全体に均一な反射光を与えられることが可能となり、少ない光源数でも照度がアップし光源とサイン面板との距離が短くなってサイン本体全体の薄型化が図れることを見出し、この知見に基づいて本発明をなすに至った。【０００６】  従って、本発明の目的は、光源が出射した光をリフレクタが受け（捕捉し）、リフレクタが捉える光を広範囲に反射させて反射光を有効に活用し少ない光源数でも照度を上げることが可能な、光源反射ユニットおよび光源反射ユニット群から構成された光源反射体を提供することにある。【０００７】  本発明の他の目的は、組み立てが簡単な、光源反射ユニットおよび光源反射ユニット群から構成された光源反射体を提供することにある。【０００８】  本発明のもう一つ他の目的は、光源の交換が簡単でメンテナンスも容易であり、薄型に形成できる光源反射ユニットおよび光源反射ユニット群から構成された光源反射体を提供することにある。
【課題を解決するための手段】
【０００９】  本発明に係る光源反射ユニットは、底面に光源を保持する光源保持部と底部中央に光源を構成するレンズを臨ませるくり抜き部が形成されるとともに、内表面が光源より出射される光を反射する反射面として形成されている。【００１０】  また、光源反射ユニットは、光源反射ユニット底面に垂下して形成した光源を保持する光源保持部と底部中央に形成した光源を構成するレンズを臨ませるくり抜き部を備え、内表面が光源より出射される光を反射する反射面として形成されたリフレクタと、該リフレクタの底面に配設したスタッドを備え、該スタッドを取付面板にスナップフィットして取付面板と前記リフレクタを取外し可能に構成してもよい。【００１１】  光源反射ユニットは、光源より出射される光を反射するリフレクタと、該リフレクタを着脱自在に保持するキャッチケースから構成し、前記リフレクタは、底部中央に光源を構成するレンズを臨ませるくり抜き部が形成されるとともに内表面が反射面として形成され、前記キャッチケースは、底部に光源を収容する光源保持部と光源の電線を案内する電線案内部を備え、前記キャッチケース上に前記リフレクタを載置して重合わせた際に、前記リフレクタの底面側に前記光源保持部および電線案内部が形成されるようにすることもできる。【００１２】  上記リフレクタは、シート部材により形成され、外周縁部に上記キャッチケースの係合受部に係合する係合部が等間隔に複数個形成され、上記キャッチケースは、外側周部の中央に前記電線案内部により案内された光源の電線を導出する電線導出部が開口して形成され、外側周上縁部に上記リフレクタの係合部に係合する係合受部が上記係合部に対応させて形成され、上記リフレクタを上記キャッチケース上に載置して重合わせ上記係合部が上記係合受部に着脱自在に係合するようにするとよい。【００１３】さらに、上記キャッチケースのコーナーには段部が形成され、上記リフレクタを上記キャッチケース上に載置して重合わせた状態で上記リフレクタの底面側に上記光源保持部および電線案内部が維持されるスペースが形成され、上記段部の中央に貫通孔が穿設され、この貫通孔に上記キャッチケースを取付面板に固定するスタッドの一端部が挿通され、上記スタッドの他端部が取付面板にスナップフィットして取付面板と上記キャッチケースが取外し可能に構成するようにすることが好ましい。【００１４】  本発明に係る光源反射体は、底面に垂下して形成した、光源を保持する光源保持部と、底部中央に形成した、光源を構成するレンズを臨ませるくり抜き部を備え、内表面が光源より出射される光を反射する反射面として形成されたリフレクタと、該リフレクタの底面に配設したスタッドを備え、該スタッドを取付面板にスナップフィットして取付面板と前記リフレクタが取外し可能に構成される光源反射ユニットを複数個連設して形成される光源反射ユニット群から構成されている。【００１５】  また、本発明に係る光源反射体は、次のａ，ｂの構成要素を備えて成る光源反射ユニットを複数個連設して形成される光源反射ユニット群から構成してもよい。
ａ．シート部材により形成され、底部中央に光源を構成するレンズを臨ませるくり抜き部が形成されるとともに内表面が反射面として形成され、外周縁部にキャッチケースの係合受部に係合する係合部が等間隔に複数個形成された、光源より出射される光を反射するリフレクタ。
ｂ．底部に光源を収容する光源保持部と光源の電線を案内する電線案内部を備え、外側周部の中央に前記電線案内部により案内された光源の電線を導出する電線導出部が開口して形成され、外側周上縁部に前記リフレクタの係合部に係合する係合受部が前記係合部に対応させて形成され、コーナーには段部が形成され、前記リフレクタを載置して重合わせた状態で前記リフレクタの底面側に前記光源保持部および電線案内部が維持されるスペースが形成され、前記段部の中央には貫通孔が穿設され、この貫通孔に取付面板に固定するスタッドの一端部が挿通され、前記スタッドの他端部が取付面板にスナップフィットして取付面板と取外し可能に構成された、前記リフレクタを着脱自在に保持するキャッチケース。
【発明の効果】
【００１６】  以上のような本発明によれば、次の効果を奏する。
１．光源が出射した光をリフレクタが受け、リフレクタが捉える光を広範囲に反射させて反射光を有効に活用し少ない光源数でも照度を上げることができる、光源反射ユニットおよび光源反射ユニット群から構成された光源反射体が得られる。
２．組み立てが簡単な光源反射ユニットおよび光源反射ユニット群から構成された光源反射体が得られる。
３．光源の交換が簡単でメンテナンスも容易であり、薄型に形成できる光源反射ユニットおよび光源反射ユニット群から構成された光源反射体が得られる。
【発明を実施するための最良の形態】
【００１７】  光源反射ユニットは、光源を保持する光源保持部と光源を構成するレンズを臨ませるくり抜き部が形成されるとともに、内表面が光源より出射される光を反射する反射面として形成されている。【００１８】  光源反射体は、光源を保持する光源保持部と光源を構成するレンズを臨ませるくり抜き部が形成されるとともに、内表面が光源より出射される光を反射する反射面として形成される光源反射ユニットを複数個連設して形成される光源反射ユニット群から構成される。
【実施例】
【００１９】（光源反射ユニット）
図１乃至図３に、本発明に係る光源反射ユニットの実施例を示す。
図１は、光源反射ユニットを面板に取付けた状態を示す正面図、
図２は、光源反射ユニットの構成部品および光源を分離した状態を示す斜視図、
図３は、光源が出射する光の反射光のすべてを捉えてリフレクタに溜めて反射させることを示す正面略図である。【００２０】これらの図において、本発明に係る光源反射ユニット１Ａは、本体部がシート部材により矩形の皿状に形成されたリフレクタ１０Ａと、このリフレクタ１０Ａの底面の隅部に取付けられたスタッド４５Ａを含んで構成され、スタッド４５Ａにより取付面板６０と前記リフレクタ１０Ａは取外し可能に構成される。【００２１】  前記リフレクタ１０Ａは、底面（底部）に光源５０を保持する光源保持部１２（１２ａ，１２ｂ）、１３（１３ａ，１３ｂ）を備え、底部中央には光源５０を構成するレンズ５３を臨ませ露出させるくり抜き部１１Ａが形成される。前記リフレクタ１０Ａの内表面１５Ａは光源５０より出射する光を反射する反射面として形成され、光源５０が出射する光を前記リフレクタ１０Ａを介して反射させることにより光源５０が出射する光を広範囲に反射させる（図３参照）。【００２２】  前記光源保持部１２、１３は、前記リフレクタ１０Ａの底面における図２の左右方向と上下方向に各一対当て垂下して設けた係合フック１２ａ，１２ｂ、１３ａ，１３ｂにより構成され、光源５０の配設（保持）方向を２方向のいずれかの方向に選択できるように構成される（図２参照）。【００２３】  前記光源５０は、基板５１に搭載されたＬＥＤ５２と、ＬＥＤ上に設け中央に逆円錐状の凹所５４が形成されたシリコン樹脂製の透明なレンズ５３と、ＬＥＤ５２を封止する封止材５５を備えたレンズ付ＬＥＤモジュールとして構成される。レンズ５３は、前記のとおり、前記リフレクタ１０Ａのくり抜き部１１Ａより露出する。【００２４】  図６乃至図１１に光源反射ユニットの他の例を示す。
図６は、光源反射ユニットの正面図、
図７は、光源反射ユニットの平面図
図８は、光源反射ユニットの底面図、
図９は、光源反射ユニットを取付面板に取付けた状態を示す正面図、
図１０は、光源反射ユニットの構成部品および光源を分離した状態を示す斜視図である。【００２５】  これらの図において、本発明に係る光源反射ユニット１Ｂは、光源５０より出射する光を反射させるリフレクタ１０Ｂと、光源１０Ｂを収容するスペースを有し、前記リフレクタ１０Ｂを着脱自在に保持するキャッチケース３０を具備している。【００２６】  このうち、前記リフレクタ１０Ｂは、シート部材により矩形の皿状に形成され、底部中央には光源５０を構成するレンズ５３を臨ませるくり抜き部１１Ｂが形成され、外周縁部には前記キャッチケース３０の係合受部３７に係合する係合部１４が欠所により等間隔に複数個形成されている。このリフレクタ１０Ｂの内表面１５Ｂは反射面として形成される。【００２７】  前記キャッチケース３０は、底部に光源５０を収容する光源保持部３１と光源の電線を案内する電線案内部３３を備え、また外側周部の中央には前記電線案内部３３により案内された光源の電線を導出する電線導出部３５が４箇所あて開口（欠切）して形成されている。このため、光源の電線５８の導出は電線５７の導出以外の３箇所の電線導出部のいずれかより導出させることが可能である。また、外側周上縁部には前記係合部１４である欠所に係合する係合受部３７が突起により前記係合部（欠所）１４に対応させて形成され、前記リフレクタ１０Ｂを前記キャッチケース３０上に載置して重合わせた状態で前記係合部１４が前記係合受部３７に着脱自在に係合する。さらに、前記キャッチケース３０のコーナーには段部３９が形成され、この段部３９は前記リフレクタ１０Ｂの底面側を支承する。前記リフレクタ１０Ｂを前記キャッチケース３０上に載置して重合わせた状態で前記リフレクタ１０Ｂの底面側に前記光源保持部３１および電線案内部３３が維持されるスペース３２が形成される。前記段部３９の中央には貫通孔４０が穿設され、この貫通孔４０には前記キャッチケース３０を取付面板６０に固定するスタッド４５Ｂの一端部が挿通され、前記スタッド４５Ｂの他端部は取付面板６０にスナップフィットし、取付面板６０と前記キャッチケース３０は取外し可能に構成される。前記電線案内部３３は、図１０における左右方向、上下方向に一対当て設けた案内片３３ａ，３３ｂにより構成され、光源の配置（収容保持）方向および電線の案内方向を２方向のいずれかの方向に選択できるように構成される（図１１参照）。【００２８】  前記光源５０は、既述のとおり、基板５１に搭載されたＬＥＤ５２と、ＬＥＤ上に設け中央に逆円錐状の凹所５４が形成されたシリコン樹脂製の透明なレンズ５３と、ＬＥＤ５２を封止する封止材５５を備えたレンズ付ＬＥＤモジュールとして構成され、レンズ５３は、前記リフレクタ１０のくり抜き部１１より露出する。レンズ付ＬＥＤモジュールに電源を供給する電線５７，５８は、前記キャッチケース３０の電線案内部３３に案内され、さらに電線導出部３５より導出される。【００２９】  かくして、光源が出射する光の反射光のすべてを捉えてリフレクタに溜めて反射させ、光源が出射する光を広範囲に反射させることが可能となる。【００３０】（光源反射体）
次に、図４および図５に、図２に示す光源反射ユニットにより構成した光源反射体の実施例を示す。
図４は、図２の光源反射ユニットを４個連設して形成した光源反射ユニット群から構成された光源反射体を取付面板に取付けた状態を示す正面図、
図５は、斜視図である。【００３１】  上記の光源反射ユニット１Ａを行列状に４個連設して配設した光源反射ユニット群によって光源反射体５Ａを構成することによりリフレクタ前方に位置するサイン面板全体に均一な反射光を与えられることが可能となり、少ない光源数でも照度がアップし光源とサイン面板との距離が短くなってサイン本体全体の薄型化が図れる。【００３２】  図１２乃至図１７に図６乃至図１１に示す光源反射ユニットにより構成した光源反射体の他の例を示す。
図１２は、光源反射ユニットを４個連設して形成した光源反射ユニット群から構成された光源反射体の平面図、
図１３は、複数個の光源反射ユニットを行列状に敷設して形成した光源反射ユニット群から構成された光源反射体（光源反射体パネル）を取付面板に取付けファサードサインの光源とした、ファサードサインの主要構成部を分離した状態を示す斜視図、
図１４は、光源反射体を内部に備えたファサードサインの斜視図、
図１５は、光源反射体を内部に備え片面表示型の内照式スタンドサインを示し、（ａ）はその斜視図、（ｂ）は内部の構成を示す側面略図、
図１６は、光源反射体を内部に備え片面表示型の壁面設置式内照サインを示し、（ａ）はその斜視図、（ｂ）は内部の構成を示す側面略図、
図１７は、光源反射体を内部に備え両面表示型の内照式スタンドサインを示し、（ａ）はその斜視図、（ｂ）は内部の構成を示す側面略図である。【００３３】  光源反射体５Ｂは、次のａ，ｂの構成要素を備えて成る光源反射ユニットを複数個連設して形成した光源反射ユニット群から構成されている。
ａ．シート部材により形成され、底部中央に光源を構成するレンズを臨ませるくり抜き部が形成されるとともに内表面が反射面として形成され、外周縁部にキャッチケースの係合受部に係合する係合部が等間隔に複数個形成された、光源より出射される光を反射するリフレクタ。
ｂ．底部に光源を収容する光源保持部と光源の電線を案内する電線案内部を備え、外側周部の中央に前記電線案内部により案内された光源の電線を導出する電線導出部が開口して形成され、外側周上縁部に前記リフレクタの係合部に係合する係合受部が前記係合部に対応させて形成され、コーナーには段部が形成され、前記リフレクタを載置して重合わせた状態で前記リフレクタの底面側に前記光源保持部および電線案内部が維持されるスペースが形成され、前記段部の中央には貫通孔が穿設され、この貫通孔に取付面板に固定するスタッドの一端部が挿通され、前記スタッドの他端部が取付面板にスナップフィットして取付面板と取外し可能に構成された、前記リフレクタを着脱自在に保持するキャッチケース。【００３４】  この光源反射体５Ｂに光源をセットしサイン面板６１を被せることによりファサードサイン６、内照式スタンドサイン７，９、壁面設置式内照サイン８に好適な光源が得られる。符号７５，７６は壁面取付金具である。【００３５】  かくして、光源が出射した光をリフレクタが捕捉し、リフレクタが捉える光を広範囲に反射させて反射光を有効に活用し同じ光源数でも照度を上げることができる。また、組み立てが簡単であるとともに、光源の交換が簡単でメンテナンスも容易であり、薄型に形成できる光源反射体が得られる。【００３６】  なお、サイン面板６１は異形押出成形により、
（１）図１８に示すように、サイン面板の長さＬを自由に調節できる（長尺物が得られる）、
（２）サイン面板を１回の成形で多色に成形できる（例えば、図１８のサイン面板６２のＭ１，Ｍ２，Ｍ３，Ｍ４の箇所をそれぞれ乳白色、黄色、青、透明等に成形できる）、
（３）図１９のような起伏のある（サイン面板６３）形状に成形できる、
等デザインの自由性が担保される。
【図面の簡単な説明】
【００３７】
【図１】  光源反射ユニットを面板に取付けた状態を示す正面図である。
【図２】  光源反射ユニットの構成部品および光源を分離した状態を示す斜視図である。
【図３】  光源が出射する光の反射光のすべてを捉えてリフレクタに溜めて反射させることを示す正面略図である。
【図４】  図２の光源反射ユニットを４個連設して形成した光源反射ユニット群から構成された光源反射体を取付面板に取付けた状態を示す正面図である。
【図５】  図２の光源反射ユニットを４個連設して形成した光源反射ユニット群から構成された光源反射体を取付面板に取付けた状態を示す斜視図である。
【図６】  光源反射ユニットの他の例を示す正面図である。
【図７】  図６に示す光源反射ユニットの平面図である。
【図８】  図６に示す光源反射ユニットの底面図である。
【図９】  図６に示す光源反射ユニットを面板に取付けた状態を示す正面図である。
【図１０】  図６に示す光源反射ユニットの構成部品および光源を分離した状態を示す斜視図である。
【図１１】  光源反射ユニットのキャッチケースに形成された電線案内部において異なる２方向に光源を保持し電線を案内できることを示す図であり、（ａ）は左斜め方向に設置できることを示す平面図、（ｂ）は右斜め方向に設置できることを示す平面図である。
【図１２】  図６に示す光源反射ユニットを４個連設して形成した光源反射ユニット群から構成された光源反射体の正面図である。
【図１３】  光源反射ユニットを複数個連設して形成した光源反射ユニット群から構成された光源反射体（光源反射体パネル）を面板に取り付けファサードサインの光源とし、ファサードサインの主要構成部を分離した状態を示す斜視図である。
【図１４】  光源反射体を内部に備えたファサードサインの斜視図である。
【図１５】  光源反射体を内部に備え片面表示型の内照式スタンドサインを示し、（ａ）はその斜視図、（ｂ）は内部の構成を示す側面略図である。
【図１６】  光源反射体を内部に備え片面表示型の壁面設置式内照サインを示し、（ａ）はその斜視図、（ｂ）は内部の構成を示す側面略図である。
【図１７】  光源反射体を内部に備え両面表示型の内照式スタンドサインを示し、（ａ）はその斜視図（ｂ）は内部の構成を示す側面略図である。
【図１８】  異形押出成形により得られたサイン面板の斜視図である。
【図１９】  異形押出成形により得られたサイン面板の斜視図である。
【符号の説明】
【００３８】  １Ａ    光源反射ユニット
１Ｂ    光源反射ユニット
５Ａ    光源反射体
５Ｂ    光源反射体
６      ファサードサイン
７      内照式スタンドサイン
８      壁面設置式内照サイン
９      内照式スタンドサイン
１０Ａ    リフレクタ
１０Ｂ    リフレクタ
１１Ａ    くり抜き部
１１Ｂ    くり抜き部
１２      光源保持部
１３      光源保持部
１４      係合部
１５Ａ    内表面
１５Ｂ    内表面
３０      キャッチケース
３１      光源保持部
３３      電線案内部
３５      電線導出部
３７      係合受部
３９      段部
４０      貫通孔
４５Ａ    スタッド
４５Ｂ    スタッド
５０      光源
５３      レンズ
６０      取付面板
６１      サイン面板
【図１】
2008216948.tif 000003
【図２】
2008216948.tif 000004
【図３】
2008216948.tif 000005
【図４】
2008216948.tif 000006
【図５】
2008216948.tif 000007
【図６】
2008216948.tif 000008
【図７】
2008216948.tif 000009
【図８】
2008216948.tif 000010
【図９】
2008216948.tif 000011
【図１０】
2008216948.tif 000012
【図１１】
2008216948.tif 000013
【図１２】
2008216948.tif 000014
【図１３】
2008216948.tif 000015
【図１４】
2008216948.tif 000016
【図１５】
2008216948.tif 000017
【図１６】
2008216948.tif 000018
【図１７】
2008216948.tif 000019
【図１８】
2008216948.tif 000020
【図１９】
2008216948.tif 000021